【手続補正書】
【提出日】平成17年1月27日(2005.1.27)
【手続補正１】
【補正対象書類名】明細書
【補正対象項目名】発明の名称
【補正方法】変更
【補正の内容】
【発明の名称】自動演奏装置の表示装置
【手続補正２】
【補正対象書類名】明細書
【補正対象項目名】特許請求の範囲
【補正方法】変更
【補正の内容】
【特許請求の範囲】
【請求項１】
複数種類の楽音で構成される楽曲を演奏する自動演奏手段と、
上記複数種類の楽音で構成される楽曲の自動演奏データを複数記憶する演奏データ記憶手段と、
該演奏データ記憶手段に記憶されている複数の自動演奏データのなかからいずれかを選択する演奏データ選択手段と、
複数種類の楽音の各々に対応する表示を行う表示手段とを備えた自動演奏装置の表示装置において、
上記演奏データ記憶手段に記憶されている複数の自動演奏データについて、その自動演奏データの楽曲を構成する複数の楽音の種類が何であるかを示すデータを各自動演奏データに対応付けて記憶する記憶手段を備え、
上記表示手段は該演奏データ選択手段で選択された自動演奏データに対応するデータを該記憶手段から読み出して、その読み出したデータに基づき、その自動演奏データの楽曲を構成する複数の楽音の種類それぞれに対応して該表示手段による表示を行うようにした自動演奏装置の表示装置。
【請求項２】
複数種類の楽音で構成される楽曲を演奏する自動演奏手段と、
上記複数種類の楽音で構成される楽曲の自動演奏データを複数記憶する演奏データ記憶手段と、
該演奏データ記憶手段に記憶されている複数の自動演奏データのなかからいずれかを選択する演奏データ選択手段と、
複数種類の楽音の各々に対応する表示を行う表示手段とを備えた自動演奏装置の表示装置において、
上記演奏データ記憶手段に記憶されている複数の自動演奏データについて、上記演奏データ選択手段により、演奏する自動演奏データを選択したときに、その選択した自動演奏データを検索して当該自動演奏データの楽曲を構成する複数の楽音の種類が何であるかを判断する判断手段を備え、
上記表示手段は該判断手段の判断結果に基づき、当該自動演奏データの楽曲を構成する複数の楽音の種類それぞれに対応して該表示手段による表示を行うようにした自動演奏装置の表示装置。
【請求項３】
複数種類の楽音で構成される楽曲を演奏する自動演奏手段と、
上記複数種類の楽音で構成される楽曲の自動演奏データを複数記憶する演奏データ記憶手段と、
該演奏データ記憶手段に記憶されている複数の自動演奏データのなかからいずれかを選択する演奏データ選択手段と、
複数種類の楽音の各々に対応する表示を行う表示手段とを備えた自動演奏装置の表示装置において、
上記演奏データ記憶手段に記憶されている複数の自動演奏データについて、その自動演奏データの楽曲を構成する複数の楽音の種類が何であるかを判断する判断手段と、
該判断手段の判断結果のデータを記憶する記憶手段とを備え、
上記表示手段は該演奏データ選択手段で選択された自動演奏データに対応するデータを該記憶手段から読み出して、その読み出したデータに基づき、その自動演奏データの楽曲を構成する複数の楽音の種類それぞれに対応して該表示手段による表示を行うようにした自動演奏装置の表示装置。
【請求項４】
前記自動演奏データの楽曲を構成する複数の楽音の種類は、該自動演奏データの楽曲を構成する複数の楽音の種類が何であるかを所定のグループ単位で示すものである請求項１乃至３記載の自動演奏装置の表示装置。
【請求項５】
前記表示手段は複数種類の楽音の各々に対応する複数の表示器を有し、該複数の表示器の各々によりその表示器に対応する楽音が上記選択された楽曲に含まれているか否かの表示を行うものである請求項１乃至４記載の自動演奏装置の表示装置。
【手続補正３】
【補正対象書類名】明細書
【補正対象項目名】０００４
【補正方法】変更
【補正の内容】
【０００４】
【課題を解決するための手段および作用】上述の課題を解決するために、本発明に係る自動演奏装置の表示装置は、第１の形態として、複数種類の楽音で構成される楽曲を演奏する自動演奏手段と、上記複数種類の楽音で構成される楽曲の自動演奏データを複数記憶する演奏データ記憶手段と、該演奏データ記憶手段に記憶されている複数の自動演奏データのなかからいずれかを選択する演奏データ選択手段と、複数種類の楽音の各々に対応する表示を行う表示手段とを備えた自動演奏装置の表示装置において、上記演奏データ記憶手段に記憶されている複数の自動演奏データについて、その自動演奏データの楽曲を構成する複数の楽音の種類が何であるかを示すデータを各自動演奏データに対応付けて記憶する記憶手段を備え、上記表示手段は該演奏データ選択手段で選択された自動演奏データに対応するデータを該記憶手段から読み出して、その読み出したデータに基づき、その自動演奏データの楽曲を構成する複数の楽音の種類それぞれに対応して該表示手段による表示を行うよう構成したものである。これにより、自動演奏装置において、自演演奏しようとする楽曲を演奏データ選択手段で選択する都度、表示手段の表示状態により、演奏される楽曲がどのような種類の楽音で構成されているかが表示されるので、ユーザは楽曲を構成する楽音の種類を一目で確認することができ、楽曲中に存在しない楽音に対する制御等を誤って行うことを防止できる。
【手続補正４】
【補正対象書類名】明細書
【補正対象項目名】０００５
【補正方法】変更
【補正の内容】
【０００５】
また、本発明に係る自動演奏装置の表示装置は、第２の形態として、複数種類の楽音で構成される楽曲を演奏する自動演奏手段と、上記複数種類の楽音で構成される楽曲の自動演奏データを複数記憶する演奏データ記憶手段と、該演奏データ記憶手段に記憶されている複数の自動演奏データのなかからいずれかを選択する演奏データ選択手段と、複数種類の楽音の各々に対応する表示を行う表示手段とを備えた自動演奏装置の表示装置において、上記演奏データ記憶手段に記憶されている複数の自動演奏データについて、上記演奏データ選択手段により、演奏する自動演奏データを選択したときに、その選択した自動演奏データを検索して当該自動演奏データの楽曲を構成する複数の楽音の種類が何であるかを判断する判断手段を備え、上記表示手段は該判断手段の判断結果に基づき、当該自動演奏データの楽曲を構成する複数の楽音の種類それぞれに対応して該表示手段による表示を行うよう構成したものである。
【手続補正５】
【補正対象書類名】明細書
【補正対象項目名】０００６
【補正方法】変更
【補正の内容】
【０００６】
また、本発明に係る自動演奏装置の表示装置は、第３の形態として、複数種類の楽音で構成される楽曲を演奏する自動演奏手段と、上記複数種類の楽音で構成される楽曲の自動演奏データを複数記憶する演奏データ記憶手段と、該演奏データ記憶手段に記憶されている複数の自動演奏データのなかからいずれかを選択する演奏データ選択手段と、複数種類の楽音の各々に対応する表示を行う表示手段とを備えた自動演奏装置の表示装置において、上記演奏データ記憶手段に記憶されている複数の自動演奏データについて、その自動演奏データの楽曲を構成する複数の楽音の種類が何であるかを判断する判断手段と、該判断手段の判断結果のデータを記憶する記憶手段とを備え、上記表示手段は該演奏データ選択手段で選択された自動演奏データに対応するデータを該記憶手段から読み出して、その読み出したデータに基づき、その自動演奏データの楽曲を構成する複数の楽音の種類それぞれに対応して該表示手段による表示を行うよう構成したものである。
【手続補正６】
【補正対象書類名】明細書
【補正対象項目名】０００７
【補正方法】変更
【補正の内容】
【０００７】
また、本発明に係る電子楽器の表示装置は、第４の形態として、上記第１乃至３の形態において、前記自動演奏データの楽曲を構成する複数の楽音の種類は、該自動演奏データの楽曲を構成する複数の楽音の種類が何であるかを所定のグループ単位で示すものである。
【手続補正７】
【補正対象書類名】明細書
【補正対象項目名】０００８
【補正方法】変更
【補正の内容】
【０００８】
また、本発明に係る電子楽器の表示装置は、第５の形態として、上記第１乃至４の形態において、 前記表示手段は複数種類の楽音の各々に対応する複数の表示器を有し、該複数の表示器の各々によりその表示器に対応する楽音が上記選択された楽曲に含まれているか否かの表示を行うものである。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】